(57)【要約】      （修正有）【課題】地上デジタル放送信号が劣化した場合でも放送信号を再生することができる、送受信システム、送信装置及び受信装置を提供する。【解決手段】送信装置（ＩＰ送信装置１０−１、１０−２）は、放送信号を復調する復調手段と、復調手段によって得られたデータを通信ネットワーク１５０−１、１５０−２に対して送信する送信手段と、を有する。受信装置（ＩＰ受信装置５０）は、複数の送信装置から送信されるデータを通信ネットワークを介して受信する受信手段と、受信手段によって受信された複数の送信装置からのデータを合成または選択する合成／選択手段と、を有する。【選択図】図１
2018011236.tif 000002
【特許請求の範囲】
【請求項１】
放送信号を通信ネットワークに対して送信する複数の送信装置と、前記複数の送信装置から前記通信ネットワークを介して伝送される前記放送信号を受信する受信装置とを有する送受信システムにおいて、
前記送信装置は、
前記放送信号を復調する復調手段と、
前記復調手段によって得られたデータを前記通信ネットワークに対して送信する送信手段と、を有し、
前記受信装置は、
前記複数の送信装置から送信される前記データを前記通信ネットワークを介して受信する受信手段と、
前記受信手段によって受信された前記複数の送信装置からの前記データを合成または選択する合成／選択手段と、を有する、
ことを特徴とする送受信システム。
【請求項２】
前記送信手段は、前記送信装置において受信した前記放送信号の受信状態を示す情報を前記データに付加して送信する、
ことを特徴とする請求項１に記載の送受信システム。
【請求項３】
前記合成／選択手段は、前記受信状態を示す情報に応じて前記送信装置からのデータを選択する、
ことを特徴とする請求項２に記載の送受信システム。
【請求項４】
前記合成／選択手段は、前記受信状態を示す情報に応じた重み付けをして前記データまたはその変調信号を合成する、
ことを特徴とする請求項２に記載の送受信システム。
【請求項５】
前記放送信号の受信状態を示す情報は、ＭＥＲ（Modulation Error Ratio）であることを特徴とする請求項２乃至４のいずれか１項に記載の送受信システム。
【請求項６】
前記送信手段は、前記放送信号の受信状態を示す値が所定の閾値以下の場合には前記復調手段による復調途中のデータを送信し、前記放送信号の受信状態を示す値が所定の閾値を超える場合には前記復調手段による復調後のデータを送信する、
ことを特徴とする請求項１に記載の送受信システム。
【請求項７】
前記合成／選択手段は、前記復調途中のデータについては復調処理を完了した後に合成または選択することを特徴とする請求項６に記載の送受信システム。
【請求項８】
前記合成／選択手段は、前記復調途中のデータについては合成または選択した後に復調処理を施して復調することを特徴とする請求項６に記載の送受信システム。
【請求項９】
前記送信装置は直交復調回路を有し、前記送信手段は、前記直交復調回路の局発信号に同期して前記データを送信し、
前記受信装置は前記データを直交変調する直交変調回路を有し、前記受信手段による前記データの受信のタイミングに応じて、前記直交変調回路の局発信号の周波数を調整する、
ことを特徴とする請求項１に記載の送受信システム。
【請求項１０】
地上デジタル放送の放送信号を通信ネットワークに対して送信する複数の送信装置と、前記複数の送信装置から前記通信ネットワークを介して伝送される前記放送信号を受信する受信装置とを有する送受信システムの前記送信装置において、
前記放送信号を復調する復調手段と、
前記復調手段によって得られたデータを前記通信ネットワークに対して送信する送信手段と、を有し、
前記送信手段は、前記放送信号の受信状態が悪い場合には前記復調手段による復調途中のデータを前記通信ネットワークに対して送信し、前記放送信号の受信状態が良い場合には前記復調手段による復調後のデータを前記通信ネットワークに対して送信する、
ことを特徴とする送信装置。
【請求項１１】
地上デジタル放送の放送信号を通信ネットワークに対して送信する複数の送信装置と、前記複数の送信装置から前記通信ネットワークを介して伝送される前記放送信号を受信する受信装置とを有する送受信システムの前記受信装置において、
前記複数の送信装置から前記通信ネットワークを介して伝送される前記データを受信する受信手段と、
前記受信手段によって受信された複数の前記データを合成または選択する合成／選択手段と、を有し、
前記受信手段は、前記放送信号の受信状態が悪い場合には前記送信装置から送信される復調途中のデータを受信し、前記放送信号の受信状態が良い場合には前記送信装置から送信される復調後のデータを受信し、
前記合成／選択手段は、前記受信手段によって受信された復調途中のデータまたは復調後のデータを合成または選択する、
ことを特徴とする受信装置。
【発明の詳細な説明】
【技術分野】
【０００１】
本発明は、送受信システム、送信装置、および、受信装置に関するものである。
【背景技術】
【０００２】
地上デジタル放送等をＩＰ（Internet Protocol）通信ネットワークを介して伝送する技術としては、例えば、特許文献１に開示された技術がある。
【０００３】
特許文献１に開示された技術では、送信装置は、ＩＱデータ抽出部が地上デジタル放送のＲＦ信号からＯＦＤＭの各シンボルについてキャリア毎に同相成分データ（Ｉデータ）および直交成分データ（Ｑデータ）を抽出し、ＩＰ出力部が抽出された同相成分データと直交成分データをＩＰパケット化して通信ネットワークに出力する。受信装置は、ＩＰ受信部が通信ネットワークを介してＩＰパケット化されたＩデータおよびＱデータを受信し、ＯＦＤＭ信号生成部がＩデータおよびＱデータを抽出し、抽出されたＩデータおよびＱデータを逆フーリエ変換してＯＦＤＭ信号を生成し、ＲＦ信号生成部が生成されたＯＦＤＭ信号を周波数変換してＲＦ信号として出力する。
【０００４】
このような技術によれば、地上デジタル放送等を通信ネットワークを介して伝送する際の必要な伝送帯域を低減することができる。
【先行技術文献】
【特許文献】
【０００５】
【特許文献１】特開２０１１−１１４４６９号公報
【発明の概要】
【発明が解決しようとする課題】
【０００６】
ところで、特許文献１に開示された技術では、送信側において受信する地上デジタル放送信号が劣化している場合、受信側で放送信号を再生することが困難になるという問題点がある。
【０００７】
本発明は、以上の点に鑑みてなされたものであり、地上デジタル放送信号が劣化した場合でも放送信号を再生することが可能な送受信システム、送信装置、および、受信装置を提供することを目的としている。
【課題を解決するための手段】
【０００８】
上記課題を解決するために、本発明は、放送信号を通信ネットワークに対して送信する複数の送信装置と、前記複数の送信装置から前記通信ネットワークを介して伝送される前記放送信号を受信する受信装置とを有する送受信システムにおいて、前記送信装置は、前記放送信号を復調する復調手段と、前記復調手段によって得られたデータを前記通信ネットワークに対して送信する送信手段と、を有し、前記受信装置は、前記複数の送信装置から送信される前記データを前記通信ネットワークを介して受信する受信手段と、前記受信手段によって受信された前記複数の送信装置からの前記データを合成または選択する合成／選択手段と、を有する、ことを特徴とする。
このような構成によれば、地上デジタル放送信号が劣化した場合でも放送信号を再生することが可能となる。
【０００９】
また、本発明は、前記送信手段は、前記送信装置において受信した前記放送信号の受信状態を示す情報を前記データに付加して送信することを特徴とする。
このような構成によれば、受信状態を示す情報を参照することで、受信装置が受信状態を知ることができる。
【００１０】
また、本発明は、前記合成／選択手段は、前記受信状態を示す情報に応じて前記送信装置からのデータを選択することを特徴とする。
このような構成によれば、受信状態が最もよい送信装置からのデータを選択することで、一部の送信装置の受信状態が悪い場合でも放送信号を再生することが可能となる。
【００１１】
また、本発明は、前記合成／選択手段は、前記受信状態を示す情報に応じた重み付けをして前記データまたはその変調信号を合成することを特徴とする。
このような構成によれば、複数のデータを重み付けして合成することで、より確からしいデータを得ることができる。
【００１２】
また、本発明は、前記放送信号の受信状態を示す情報は、ＭＥＲ（Modulation Error Ratio）であることを特徴とする。
このような構成によれば、ＭＥＲを用いることで、受信状態を正確に判定することができる。
【００１３】
また、本発明は、前記送信手段は、前記放送信号の受信状態を示す値が所定の閾値以下の場合には前記復調手段による復調途中のデータを送信し、前記放送信号の受信状態を示す値が所定の閾値を超える場合には前記復調手段による復調後のデータを送信することを特徴とする。
このような構成によれば、復調途中のデータを送信することで、正しいデータの復元をより確実に実行することができる。
【００１４】
また、本発明は、前記合成／選択手段は、前記復調途中のデータについては復調処理を完了した後に合成または選択することを特徴とする。
このような構成によれば、復調途中のデータを送信することで、正しいデータの復元をより確実に実行するとともに、構成を簡略化することができる。
【００１５】
また、本発明は、前記合成／選択手段は、前記復調途中のデータについては合成または選択した後に復調処理を施して復調することを特徴とする。
このような構成によれば、復調途中のデータを送信することで、正しいデータの復元をより確実に実行するとともに、構成を簡略化することができる。
【００１６】
また、本発明は、前記送信装置は直交復調回路を有し、前記送信手段は、前記直交復調回路の局発信号に同期して前記データを送信し、前記受信装置は前記データを直交変調する直交変調回路を有し、前記受信手段による前記データの受信のタイミングに応じて、前記直交変調回路の局発信号の周波数を調整する、ことを特徴とする。
このような構成によれば、送信装置と受信装置における局発信号の不一致に基づくエラーの発生を防止できる。
【００１７】
また、本発明は、地上デジタル放送の放送信号を通信ネットワークに対して送信する複数の送信装置と、前記複数の送信装置から前記通信ネットワークを介して伝送される前記放送信号を受信する受信装置とを有する送受信システムの前記送信装置において、前記放送信号を復調する復調手段と、前記復調手段によって得られたデータを前記通信ネットワークに対して送信する送信手段と、を有し、前記送信手段は、前記放送信号の受信状態が悪い場合には前記復調手段による復調途中のデータを前記通信ネットワークに対して送信し、前記放送信号の受信状態が良い場合には前記復調手段による復調後のデータを前記通信ネットワークに対して送信する、ことを特徴とする。
このような構成によれば、地上デジタル放送信号が劣化した場合でも放送信号を再生することが可能となる。
【００１８】
また、本発明は、地上デジタル放送の放送信号を通信ネットワークに対して送信する複数の送信装置と、前記複数の送信装置から前記通信ネットワークを介して伝送される前記放送信号を受信する受信装置とを有する送受信システムの前記受信装置において、前記複数の送信装置から前記通信ネットワークを介して伝送される前記データを受信する受信手段と、前記受信手段によって受信された複数の前記データを合成または選択する合成／選択手段と、を有し、前記受信手段は、前記放送信号の受信状態が悪い場合には前記送信装置から送信される復調途中のデータを受信し、前記放送信号の受信状態が良い場合には前記送信装置から送信される復調後のデータを受信し、前記合成／選択手段は、前記受信手段によって受信された復調途中のデータまたは復調後のデータを合成または選択する、ことを特徴とする。
このような構成によれば、地上デジタル放送信号が劣化した場合でも放送信号を再生することが可能となる。
【発明の効果】
【００１９】
本発明によれば、地上デジタル放送信号が劣化した場合でも放送信号を再生することが可能な送受信システム、送信装置、および、受信装置を提供することができる。
【図面の簡単な説明】
【００２０】
【図１】本発明の第１実施形態に係る送受信システムの構成例を示す図である。
【図２】第１実施形態のＩＰ送信装置の詳細な構成例を示す図である。
【図３】第１実施形態のＩＰ受信装置の詳細な構成例を示す図である。
【図４】第２実施形態のＩＰ受信装置の詳細な構成例を示す図である。
【図５】第３実施形態のＩＰ送信装置の詳細な構成例を示す図である。
【図６】第３実施形態のＩＰ受信装置の詳細な構成例を示す図である。
【図７】第３実施形態のＩＰ送信装置の動作を説明するフローチャートである。
【図８】第３実施形態のＩＰ受信装置の動作を説明するフローチャートである。
【図９】第４実施形態のＩＰ送信装置の詳細な構成例を示す図である。
【図１０】第４実施形態のＩＰ受信装置の動作を説明するフローチャートである。
【図１１】第５実施形態のＩＰ送信装置の詳細な構成例を示す図である。
【図１２】第５実施形態のＩＰ受信装置の詳細な構成例を示す図である。
【発明を実施するための形態】
【００２１】
次に、本発明の実施形態について説明する。
【００２２】
（Ａ）本発明の第１実施形態の構成の説明
図１は、本発明の第１実施形態に係る送受信システムの構成例を示す図である。図１に示すように、本発明の第１実施形態に係る送受信システムは、ＩＰ送信装置１０−１，１０−２、ＩＰ受信装置５０、および、各家庭に配置されるテレビジョン受像機９０−１〜９０−３を有している。
【００２３】
ここで、ＩＰ送信装置１０−１，１０−２は、図示しない電波塔から送信される地上デジタル放送を受信してＩＰパケット化し、通信ネットワーク１５０−１，１５０−２をそれぞれ介してＩＰ受信装置５０に伝送する。
【００２４】
ＩＰ受信装置５０は、通信ネットワーク１５０−１，１５０−２を介してＩＰ送信装置１０−１，１０−２から送信されるＩＰパケットを受信し、例えば、ダイバーシティ処理を施した後、同軸ケーブル１９０−１〜１９０−３を介して、各家庭に配置されているテレビジョン受像機９０−１〜９０−３に配信する。
【００２５】
図２は、図１に示すＩＰ送信装置１０−１，１０−２の詳細な構成例を示す図である。なお、ＩＰ送信装置１０−１，１０−２は同様の構成とされているので、以下ではこれらをＩＰ送信装置１０として説明する。
【００２６】
ＩＰ送信装置１０は、アンテナ１１、チューナ１２、局発信号発生器１３、乗算器１４，１５、局発信号発生器１６、移相器１７、Ａ／Ｄ（Analog to Digital）変換回路１８，１９、ＦＦＴ（Fast Fourier Transform）回路２０、再マッピング回路２１、ＭＥＲ（Modulation Error Ratio）検出回路２２、Ｐ／Ｓ（Parallel to Serial）変換回路２３、ＩＰ（Internet Protocol）符号化回路２４、および、Ｅ／Ｏ（Electrical Optical）変換回路２５を有している。
【００２７】
ここで、アンテナ１１は、図示しない電波塔から送信される、例えば、地上デジタル放送の電波を受信してチューナ１２に供給する。
【００２８】
チューナ１２は、アンテナ１１によって受信された電波から、所望のチャンネルの放送信号を選局し、局発信号発生器１３から供給される局発信号によってＩＦ（Intermediate Frequency）信号に変換して出力する。
【００２９】
乗算器１４，１５は、チューナ１２から出力されるＩＦ信号に対して、局発信号発生器１６から出力される局発信号を乗算することでＩ，Ｑ信号を生成して出力する。より詳細には、乗算器１４は、チューナ１２から出力されるＩＦ信号に対して、局発信号発生器１６から出力される局発信号を乗算することで同相Ｉ（In-phase）成分を抽出してＩ信号として出力する。また、乗算器１５は、チューナ１２から出力されるＩＦ信号に対して、移相器１７によって位相がπ／２だけシフトされた局発信号を乗算することで、直交Ｑ（Quadrature）成分を抽出してＱ信号として出力する。
【００３０】
Ａ／Ｄ変換回路１８，１９は、乗算器１４，１５から出力されるＩ，Ｑ信号（アナログ信号）を、対応するデジタルデータに変換して出力する。
【００３１】
ＦＦＴ回路２０は、Ａ／Ｄ変換回路１８，１９から供給されるデジタルデータに対してＦＦＴ処理を施し、ＯＦＤＭ（Orthogonal Frequency Division Multiplexing）のシンボルを生成して出力する。
【００３２】
再マッピング回路２１は、ＦＦＴ回路２０から供給されるデータに含まれる各キャリアの振幅と位相の情報に基づいて割り当てられている符号を判定する。
【００３３】
ＭＥＲ検出回路２２は、再マッピング回路２１による再マッピング前後のデータを比較することで、変調誤差比を検出し、検出したＭＥＲに関する情報（例えば、ＭＥＲの値そのものまたはＭＥＲの値をエンコーディングした情報等）をＩＰ符号化回路２４に供給する。
【００３４】
Ｐ／Ｓ変換回路２３は、再マッピング回路２１から出力されるパラレル信号を、シリアル信号に変換して出力する。
【００３５】
ＩＰ符号化回路２４は、Ｐ／Ｓ変換回路２３から供給されるシリアル信号に、ＭＥＲ検出回路２２から供給されるＭＥＲに関する情報を付加してＩＰパケット化し、Ｅ／Ｏ変換回路２５に供給する。
【００３６】
Ｅ／Ｏ変換回路２５は、ＩＰ符号化回路２４から供給されるＩＰパケットを対応する光信号に変換し、通信ネットワーク１５０−１または通信ネットワーク１５０−２に対して出力する。
【００３７】
図３は、図１に示すＩＰ受信装置５０の詳細な構成例を示す図である。図３に示すように、ＩＰ受信装置５０は、Ｏ／Ｅ（Electrical Optical）変換回路５１−１，５１−２、ＩＰ復号回路５２−１，５２−２、Ｓ／Ｐ（Serial to Parallel）変換回路５３−１，５３−２、ＭＥＲ検出回路５４、選択回路５５、ＩＦＦＴ（Inverse FFT）回路５６、ＩＱ変調回路５７、局発信号発生器５８、乗算器５９、および、局発信号発生器６０を有している。
【００３８】
ここで、Ｏ／Ｅ変換回路５１−１，５１−２は、ＩＰ送信装置１０−１，１０−２からそれぞれ送信される光信号を受信し、対応する電気信号に変換して出力する。
【００３９】
ＩＰ復号回路５２−１，５２−２は、Ｏ／Ｅ変換回路５１−１，５１−２から供給される電気信号で表現されたＩＰパケットを復号処理して、ＩＰパケットに含まれるデータを抽出して出力する。
【００４０】
Ｓ／Ｐ変換回路５３−１，５３−２は、ＩＰ復号回路５２−１，５２−２から供給されるシリアル信号を、パラレル信号に変換して出力する。
【００４１】
ＭＥＲ検出回路５４は、ＩＰ復号回路５２−１，５２−２によって復号されるデータに含まれているＭＥＲに関する情報を検出し、検出したＭＥＲに関する情報に基づいて選択回路５５を制御する。
【００４２】
選択回路５５は、ＭＥＲ検出回路５４の制御に応じて、Ｓ／Ｐ変換回路５３−１，５３−２から出力されるパラレル信号を択一的に選択して出力する。
【００４３】
ＩＦＦＴ回路５６は、選択回路５５から出力されるデータに対してＩＦＦＴ処理を施し、ＯＦＤＭ信号を生成して出力する。
【００４４】
ＩＱ変調回路５７は、局発信号発生器５８から供給される局発信号によって、ＩＦＦＴ回路５６から出力されるＯＦＤＭ信号に対してＩＱ変調を施して出力する。
【００４５】
乗算器５９は、局発信号発生器６０から供給される局発信号によって、ＩＱ変調が施された信号を所定の周波数にアップコンバートして出力する。
【００４６】
（Ｂ）本発明の第１実施形態の動作の説明
つぎに、第１実施形態の動作について説明する。以下では、まず、第１実施形態の動作の概要について説明した後、図１〜図３を参照して詳細な動作を説明する。
【００４７】
図示しない電波塔（１または複数の電波塔）から送信された地上デジタル放送は、ＩＰ送信装置１０―１，１０―２の各々に配置されたアンテナによって受信される。ＩＰ送信装置１０―１，１０―２は、異なる場所に配置されており、電波塔との間の地理的状況が異なることから、受信する地上デジタル放送の放送信号の状態も、ＩＰ送信装置１０―１，１０―２のそれぞれで異なる場合がある。
【００４８】
そこで、第１実施形態では、ＩＰ送信装置１０―１，１０―２は、受信状態を示す情報を含むＭＥＲを検出し、検出したＭＥＲに関する情報（例えば、ＭＥＲの値そのものまたはＭＥＲの値をエンコードした情報）をＩＰパケットに対して付加して通信ネットワーク１５０−１，１５０−２を介して送信する。
【００４９】
ＩＰ受信装置５０では、ＭＥＲ検出回路５４によって、ＩＰ送信装置１０―１，１０―２から送信されるＩＰパケットに付加されているＭＥＲに関する情報を抽出する。ＭＥＲ検出回路５４は、ＭＥＲに関する情報を参照してＩＰ送信装置１０―１，１０―２のうち、受信状態が良好な側から受信したＩＰパケットを選択回路５５によって選択し、ＯＦＤＭ信号に変換してテレビジョン受像機９０−１〜９０−３に供給する。このような動作によれば、ＩＰ受信装置５０からテレビジョン受像機９０−１〜９０−３に対して送信されるＯＦＤＭ信号は、ＩＰ送信装置１０―１，１０―２によって受信された地上デジタル放送のうち、信号の状態が良好な信号に基づいて生成されることから、ＩＰ送信装置１０―１，１０―２によって受信される地上デジタル放送信号の一方が劣化している場合でも、他方の放送信号を選択することで、テレビジョン受像機９０−１〜９０−３が放送信号を再生することができる。
【００５０】
つぎに、図１〜図３を参照して第１実施形態の詳細な動作について説明する。図示しない電波塔から送信された地上デジタル放送信号は、ＩＰ送信装置１０−１，１０−２のアンテナ１１によって受信される。
【００５１】
ＩＰ送信装置１０−１，１０−２のチューナ１２は、アンテナ１１によって受信された地上デジタル放送信号から所望のチャンネルを選択し、局発信号発生器１３から供給される局発信号によってＩＦ信号に変換して出力する。
【００５２】
チューナ１２から出力されるＩＦ信号は、乗算器１４，１５に供給される。乗算器１４，１５は、チューナ１２から出力されるＩＦ信号からＩ，Ｑ成分を抽出し、Ａ／Ｄ変換回路１８，１９に供給する。
【００５３】
Ａ／Ｄ変換回路１８，１９は、Ｉ，Ｑ信号をデジタルデータに変換して出力する。ＦＦＴ回路２０は、Ａ／Ｄ変換回路１８，１９から出力されるデジタルデータに対してＦＦＴ処理を施し、得られたデータを出力する。
【００５４】
再マッピング回路２１は、ＦＦＴ回路２０から出力されるデータから各キャリアの振幅と位相の情報に基づいて割り当てられている符号を判定する。より詳細には、再マッピング回路２１は、キャリア毎のＩ，Ｑデータから６４ＱＡＭ、１６ＱＡＭ、付随信号（パイロット信号、ＴＭＣＣ等）を分離し、Ｉ，Ｑデータを７ビットデータにマッピングする。
【００５５】
ＭＥＲ検出回路２２は、６４ＱＡＭ、１６ＱＡＭ等のコンスタレーションの理想的なシンボル位置から受信シンボルまでのベクトル量の比をデシベル値で示したＭＥＲを検出し、ＩＰ符号化回路２４に供給する。
【００５６】
Ｐ／Ｓ変換回路２３は、再マッピング回路２１から出力されるパラレル信号をシリアル信号に変換してＩＰ符号化回路２４に供給する。ＩＰ符号化回路２４は、Ｐ／Ｓ変換回路２３から供給されるシリアル信号に対して、ＭＥＲ検出回路２２によって検出されたＭＥＲに関する情報を付加した後、ＩＰパケットに変換してＥ／Ｏ変換回路２５に供給する。
【００５７】
Ｅ／Ｏ変換回路２５は、ＩＰ符号化回路２４から供給されるＩＰパケットを光信号に変換して出力する。
【００５８】
以上の処理により、ＩＰ送信装置１０−１，１０−２からは、ＭＥＲに関する情報が付加されたＩＰパケットが送信される。
【００５９】
ＩＰ受信装置５０では、ＩＰ送信装置１０−１，１０−２から通信ネットワーク１５０−１，１５０−２を介して送信されるＩＰパケットを受信する。より詳細には、Ｏ／Ｅ変換回路５１−１は、ＩＰ送信装置１０−１から送信されたＩＰパケットを受信し、対応する電気信号に変換して出力する。Ｏ／Ｅ変換回路５１−２も同様に、ＩＰ送信装置１０−２から送信されたＩＰパケットを受信し、対応する電気信号に変換して出力する。
【００６０】
ＩＰ復号回路５２−１，５２−２は、Ｏ／Ｅ変換回路５１−１，５１−２から供給されるＩＰパケットを復号し、ＩＰパケットに含まれているデータを抽出してＳ／Ｐ変換回路５３−１，５３−２にそれぞれ供給する。Ｓ／Ｐ変換回路５３−１，５３−２は、ＩＰ復号回路５２−１，５２−２から供給されるシリアル信号をパラレル信号に変換して出力する。
【００６１】
選択回路５５は、ＭＥＲ検出回路５４の制御に基づいて、Ｓ／Ｐ変換回路５３−１およびＳ／Ｐ変換回路５３−２のいずれか一方の出力を選択して、ＩＦＦＴ回路５６に供給する。より詳細には、ＩＰ送信装置１０−１の受信状態の方が、ＩＰ送信装置１０−２の受信状態よりも良好である場合、より詳細には、例えば、ＩＰ送信装置１０−１のＭＥＲに関する値の方がＩＰ送信装置１０−２のＭＥＲに関する値よりもその値が大きいので、ＭＥＲ検出回路５４は、ＩＰ送信装置１０−１のＭＥＲに関する値の方が大きいことを検出し、選択回路５５を制御してＳ／Ｐ変換回路５３−１の出力を選択させる。この結果、受信状態が良好なＩＰ送信装置１０−１からのデータが選択され、ＩＦＦＴ回路５６に供給される。一方、ＩＰ送信装置１０−２の受信状態の方が、ＩＰ送信装置１０−１の受信状態よりも良好である場合には、ＭＥＲ検出回路５４は、選択回路５５を制御してＳ／Ｐ変換回路５３−２の出力を選択させる。なお、ＩＰ送信装置１０−１の受信状態と、ＩＰ送信装置１０−２の受信状態がともに良好である場合には、ＭＥＲ検出回路５４は、予め定められた方（例えば、ＩＰ送信装置１０−１）を選択するようにしてもよい。
【００６２】
ＩＦＦＴ回路５６は、選択回路５５から供給されるデータに対してＩＦＦＴ処理を施し、得られるＯＦＤＭデータをＩＱ変調回路５７に供給する。ＩＱ変調回路５７は、局発信号発生器５８から供給される所定の周波数の局発信号によって、ＩＦＦＴ回路５６から供給されるデータをＩＱ変調して出力する。乗算器５９は、局発信号発生器６０から供給されるデータをアップコンバートし、同軸ケーブル１９０−１〜１９０−３を介して、各家庭に配置されたテレビジョン受像機９０−１〜９０−３に配信する。
【００６３】
以上の動作によれば、ＩＰ送信装置１０−１，１０−２によって受信された地上デジタル放送信号のうち、受信状態が良好な方が選択されてテレビジョン受像機９０−１〜９０−３に供給されるので、ＩＰ送信装置１０−１，１０−２の一方の受信状態が悪い場合でも、他方が選択されるので、地上デジタル放送をテレビジョン受像機９０−１〜９０−３によって再生するとこができる。
【００６４】
（Ｃ）本発明の第２実施形態の構成の説明
つぎに、第２実施形態について説明する。なお、第２実施形態では、図１に示す構成において、ＩＰ受信装置５０の構成が第１実施形態とは異なっている。そこで、以下では、図４を参照して、第２実施形態について説明する。
【００６５】
図４は、第２実施形態のＩＰ受信装置５０の構成例を示す図である。なお、図４において、図３と対応する部分には同一の符号を付してその説明を省略する。
【００６６】
図４の構成例は、図３と比較すると、選択回路５５が合成回路６３に置換されている。また、図３において、選択回路５５の後段に配置されていたＩＦＦＴ回路５６、ＩＱ変調回路５７、および、局発信号発生器５８が、合成回路６３の前段に、ＩＦＦＴ回路５６−１，５６−２、ＩＱ変調回路５７−１，５７−２、および、局発信号発生器５８−１，５８−２として配置されている。また、ＩＱ変調回路５７−１，５７−２の後段に、位相回路６１−１，６１−２および係数倍器６２−１，６２−２が追加されている。また、ＭＥＲ検出回路５４は、ＭＥＲに関する情報に応じて、係数倍器６２−１，６２−２を制御する構成とされている。これら以外は、図３と同様である。
【００６７】
（Ｄ）本発明の第２実施形態の動作の説明
つぎに、第２実施形態の動作について説明する。なお、第２実施形態では、第１実施形態と比較すると、ＩＰ受信装置５０の動作のみが異なっているので、以下では、ＩＰ受信装置５０の動作を中心に説明する。
【００６８】
Ｏ／Ｅ変換回路５１−１，５１−２は、ＩＰ送信装置１０−１，１０−２から送信された光信号を受信して対応する電気信号に変換してＩＰ復号回路５２−１，５２−２に供給する。ＩＰ復号回路５２−１，５２−２は、Ｏ／Ｅ変換回路５１−１，５１−２から供給されるＩＰパケットを復号し、ＩＰパケットに含まれているデータを抽出してＳ／Ｐ変換回路５３−１，５３−２に供給する。
【００６９】
Ｓ／Ｐ変換回路５３−１，５３−２は、ＩＰ復号回路５２−１，５２−２から供給されるシリアル信号をパラレル信号に変換して出力する。ＩＦＦＴ回路５６−１，５６−２は、Ｓ／Ｐ変換回路５３−１，５３−２から供給されるデータに対してＩＦＦＴ処理を施し、得られるＯＦＤＭデータをＩＱ変調回路５７−１，５７−２に供給する。
【００７０】
ＩＱ変調回路５７−１，５７−２は、局発信号発生器５８−１，５８−２から供給される局発信号によって、ＩＦＦＴ回路５６−１，５６−２から供給されるデータをＩＱ変調して出力する。位相回路６１−１，６１−２は、ＩＱ変調回路５７−１，５７−２から出力される信号の位相を一致させて合成するように調整して出力する。
【００７１】
係数倍器６２−１，６２−２は、位相回路６１−１，６１−２から出力される信号を、ＭＥＲ検出回路５４から供給され係数倍して出力する。より詳細には、ＭＥＲ検出回路５４は、ＩＰ復号回路５２−１，５２−２によって検出されたＭＥＲに関する情報に基づいて定まる係数を係数倍器６２−１，６２−２に供給する。具体的には、例えば、ＭＥＲ検出回路５４によって検出されたＩＰ送信装置１０−１のＭＥＲがＸであり、ＩＰ送信装置１０−２のＭＥＲがＹである場合、係数倍器６２−１にはＸ／Ｙ（または、Ｘ／（Ｘ＋Ｙ））を係数として供給し、係数倍器６２−２にはＹ／Ｘ（または、Ｙ／（Ｘ＋Ｙ））を係数として供給する。この結果、係数倍器６２−１，６２−２の係数は、ＩＰ送信装置１０−１，１０−２の受信状態が良好な場合には大きい値が設定され、受信状態が良好でない場合には小さい値が設定されることから、受信状態の良好な側の信号がより大きい値を有して出力される。
【００７２】
合成回路６３は、係数倍器６２−１，６２−２から出力される信号を合成（例えば、加算）して乗算器５９に供給する。乗算器５９は、合成回路６３から出力される信号を、局発信号発生器６０から供給される局発信号によってアップコンバートし、同軸ケーブル１９０−１〜１９０−３を介して、各家庭に配置されたテレビジョン受像機９０−１〜９０−３に配信する。
【００７３】
以上の第２実施形態によれば、位相回路６１−１，６１−２から供給される信号に対して、係数倍器６２−１，６２−２によってＭＥＲに関する値に応じた係数を乗じた後に、合成回路６３によって合成するようにした。このため、ＩＰ送信装置１０−１，１０−２のいずれか一方の受信状態が不良である場合には、受信状態が良好な他方の信号の比重を大きくして合成することができる。また、双方の受信状態が良好でない場合には、ＩＰ送信装置１０−１，１０−２から送信されたデータを合成することで平均化し、より確からしい情報をテレビジョン受像機９０−１〜９０−３に供給することができる。
【００７４】
（Ｅ）本発明の第３実施形態の構成の説明
つぎに、図５および図６を参照して、本発明の第３実施形態について説明する。なお、第３実施形態は、図１に示す構成において、ＩＰ送信装置１０−１，１０−２およびＩＰ受信装置５０の構成が異なっている。これら以外の構成は図１の場合と同様である。
【００７５】
図５は第３実施形態に係るＩＰ送信装置１０の構成例を示す図である。なお、図５において、図２と対応する部分には同一の符号を付してその説明を省略する。図２と比較すると図５では、検査符号検査回路３１、スイッチ３２，３３が追加され、Ｐ／Ｓ変換回路２３がＰ／Ｓ変換回路２３−１に置換され、Ｐ／Ｓ変換回路２３−２が追加されている。これら以外の構成は、図２と同様である。
【００７６】
ここで、検査符号検査回路３１は、例えば、ＴＭＣＣ（Transmission and Multiplexing Configuration and Control）等の検査符号にエラーが存在するか否かの検査を行い、検査結果に基づいてスイッチ３３を制御する。
【００７７】
スイッチ３２は、ＭＥＲ検出回路２２によって制御され、ＦＦＴ回路２０の出力および再マッピング回路２１の出力のいずれか一方を選択してＰ／Ｓ変換回路２３−１に供給する。
【００７８】
Ｐ／Ｓ変換回路２３−１は、スイッチ３２から出力されるパラレル信号をシリアル信号に変換してスイッチ３３に供給する。Ｐ／Ｓ変換回路２３−２は、Ａ／Ｄ変換回路１８，１９から出力されるパラレル信号をシリアル信号に変換してスイッチ３３に供給する。
【００７９】
スイッチ３３は、検査符号検査回路３１によって制御され、Ｐ／Ｓ変換回路２３−１，２３−２の一方の出力を選択して出力する。
【００８０】
図６は、第３実施形態に係るＩＰ受信装置５０の構成例を示す図である。なお、図６において、図３と対応する部分には同一の符号を付してその説明を省略する。図６では図３と比較すると、ＦＦＴ回路７１−１，７１−２、制御回路７２、再マッピング回路７３−１，７３−２、および、スイッチ７４−１，７４−２が追加されている。これら以外の構成は、図３と同様である。
【００８１】
ここで、ＦＦＴ回路７１−１，７１−２は、ＩＰ送信装置１０が有するＦＦＴ回路２０と同様に、スイッチ７４−１，７４−２を介してＩＰ復号回路５２−１，５２−２から供給されるデータに対してＦＦＴ処理を施して出力する。
【００８２】
制御回路７２は、ＩＰ復号回路５２−１，５２−２から出力されるＯＦＤＭのシンボル長に基づいて、スイッチ７４−１，７４−２および選択回路５５を制御する。
【００８３】
再マッピング回路７３−１，７３−２は、ＩＰ送信装置１０が有する再マッピング回路２１と同様に、スイッチ７４−１，７４−２を介してＩＰ復号回路５２−１，５２−２から供給されるデータに対して再マッピング処理を施して出力する。
【００８４】
（Ｆ）本発明の第３実施形態の動作の説明
つぎに、第３実施形態の動作について説明する。なお、以下では、図５および図６を参照して、第３実施形態の動作の概要について説明した後に、図７および図８を参照して詳細な動作について説明する。
【００８５】
第３実施形態では、ＩＰ送信装置１０−１，１０−２は、検査符号の状態と、ＭＥＲの状態に応じて、以下の３つの動作パターンから所定のパターンが選択される。
【００８６】
（１）検査符号にエラーがなく、ＭＥＲが所定値（例えば、２０ｄＢ）以上の場合には、ＩＱデータを１シンボル当たり７ビット以下で符号化して送信する。
（２）検査符号にエラーがなく、ＭＥＲが所定値（例えば、２０ｄＢ）未満の場合には、ＩＱデータを１シンボル当たり１４ビット以下で符号化して送信する。
（３）検査符号にエラーがある場合には、ベースバンドＩＱの時間軸波形を１サンプル当たり、２８ビット以下で符号化して送信する。
【００８７】
すなわち、検査符号検査回路３１によって検査符号にエラーがないと判定され、かつ、ＭＥＲ検出回路２２によってＭＥＲが所定値（例えば、２０ｄＢ）以上と判定された場合（前述の（１）の場合）には、検査符号検査回路３１はスイッチ３３を制御してＰ／Ｓ変換回路２３−１の出力を選択させるとともに、ＭＥＲ検出回路２２がスイッチ３２を制御して再マッピング回路２１の出力を選択させる。これにより、再マッピング回路２１の出力が選択され、ＩＱデータが１シンボル当たり７ビット以下で符号化されて送信される。
【００８８】
また、検査符号検査回路３１によって検査符号にエラーがないと判定され、かつ、ＭＥＲ検出回路２２によってＭＥＲが所定値（例えば、２０ｄＢ）未満と判定された場合（前述の（２）の場合）には、検査符号検査回路３１はスイッチ３３を制御してＰ／Ｓ変換回路２３−１の出力を選択させるとともに、ＭＥＲ検出回路２２がスイッチ３２を制御してＦＦＴ回路２０の出力を選択させる。これにより、ＦＦＴ回路２０の出力が選択され、ＩＱデータが１シンボル当たり１４ビット以下で符号化されて送信される。
【００８９】
さらに、検査符号検査回路３１によって検査符号にエラーがあると判定された場合（前述の（３）の場合）には、検査符号検査回路３１はスイッチ３３を制御してＰ／Ｓ変換回路２３−２の出力を選択させる。これにより、Ａ／Ｄ変換回路１８，１９の出力が選択され、ベースバンドＩＱの時間軸波形を１サンプル当たり、２８ビット以下で符号化されて送信される。
【００９０】
ＩＰ受信装置５０では、制御回路７２が、ＩＰ復号回路５２−１，５２−２から出力されるデータのビット長に応じて、スイッチ７４−１，７４−２の接続を切り換える。例えば、ＩＰ復号回路５２−１から出力されるデータのビット長が７ビットである場合には、制御回路７２は、スイッチ７４−１によってＳ／Ｐ変換回路５３−１を選択させる。この結果、ＩＰ復号回路５２−１から出力されるデータはＳ／Ｐ変換回路５３−１に供給される。また、ＩＰ復号回路５２−１から出力されるデータのビット長が１４ビットである場合には、制御回路７２は、スイッチ７４−１によって再マッピング回路７３−１を選択させる。この結果、ＩＰ復号回路５２−１から出力されるデータは再マッピング回路７３−１に供給される。さらに、ＩＰ復号回路５２−１から出力されるデータのビット長が２８ビットである場合には、制御回路７２は、スイッチ７４−１によってＦＦＴ回路７１−１を選択させる。この結果、ＩＰ復号回路５２−１から出力されるデータはＦＦＴ回路７１−１に供給される。なお、スイッチ７４−２についても、スイッチ７４−１と同様の制御がされる。
【００９１】
つぎに、制御回路７２は、ＩＰ復号回路５２−１，５２−２から出力されるデータのビット長を比較し、Ｓ／Ｐ変換回路５３−１，５３−２のうち、短い方のデータに対応する方を選択回路５５に選択させる。例えば、ＩＰ復号回路５２−１の出力データのビット長が７ビットで、ＩＰ復号回路５２−１の出力データのビット長が１４ビットである場合には、制御回路７２は、選択回路５５を制御してＳ／Ｐ変換回路５３−１の出力を選択させる。なお、ＩＰ復号回路５２−１，５２−２から出力されるデータのビット長が等しい場合には、制御回路７２は、選択回路５５を制御して、予め定められている方を選択させてもよい。
【００９２】
以上の動作によれば、ＩＰ送信装置１０−１，１０−２の受信状態に応じたビット長のデータを送信し、ＩＰ受信装置５０ではビット長が短いデータを選択することで、受信状態が良好なデータを選択することができる。
【００９３】
つぎに、図７を参照して、ＩＰ送信装置１０において実行される処理の一例について説明する。図７に示す処理が開始されると、以下のステップが実行される。
【００９４】
ステップＳ１０では、ＭＥＲ検出回路２２は、再マッピング回路２１の入出力を比較することで、ＭＥＲを検出する。
【００９５】
ステップＳ１１では、検査符号検査回路３１は、再マッピング回路２１の出力を参照して、検査符号を検出する。
【００９６】
ステップＳ１２では、検査符号検査回路３１は、ステップＳ１１で検出した検査符号にエラーがあるか否かを判定し、エラーがある場合（ステップＳ１２：Ｙ）にはステップＳ１３に進み、それ以外の場合（ステップＳ１２：Ｎ）にはステップＳ１４に進む。
【００９７】
ステップＳ１３では、検査符号検査回路３１は、スイッチ３３を制御して、Ｐ／Ｓ変換回路２３−２の出力を選択させる。これにより、ＩＰ符号化回路２４には、Ａ／Ｄ変換回路１８，１９から出力されるデータが供給される。
【００９８】
ステップＳ１４では、検査符号検査回路３１は、スイッチ３３を制御して、Ｐ／Ｓ変換回路２３−１の出力を選択させる。
【００９９】
ステップＳ１５では、ＭＥＲ検出回路２２は、ステップＳ１０で検出したＭＥＲが所定の閾値Ｔｈ（例えば、２０ｄＢ）以上であるか否かを判定し、所定の閾値Ｔｈ以上であると判定した場合（ステップＳ１５：Ｙ）にはステップＳ１６に進み、それ以外の場合（ステップＳ１５：Ｎ）にはステップＳ１７に進む。
【０１００】
ステップＳ１６では、ＭＥＲ検出回路２２は、スイッチ３２を制御して、再マッピング回路２１の出力を選択させる。これにより、ＩＰ符号化回路２４には、再マッピング回路２１から出力されるデータが供給される。
【０１０１】
ステップＳ１７では、ＭＥＲ検出回路２２は、スイッチ３２を制御して、ＦＦＴ回路２０の出力を選択させる。これにより、ＩＰ符号化回路２４には、ＦＦＴ回路２０から出力されるデータが供給される。
【０１０２】
ステップＳ１８では、ＭＥＲ検出回路２２は、処理を継続するか否かを判定し、処理を継続すると判定した場合（ステップＳ１８：Ｙ）にはステップＳ１０に戻って前述の場合と同様の処理を繰り返し、それ以外の場合（ステップＳ１８：Ｎ）には処理を終了する。
【０１０３】
つぎに、図８を参照して、ＩＰ受信装置５０において実行される処理について説明する。図８に示すフローチャートが開始されると、以下のステップが実行される。
【０１０４】
ステップＳ３０では、制御回路７２は、ＩＰ復号回路５２−１から出力されるデータを取得する。
【０１０５】
ステップＳ３１では、制御回路７２は、ステップＳ３０で取得したＩＱデータの１シンボルが７ビット以下で構成されているか否かを判定し、７ビット以下で構成されていると判定した場合（ステップＳ３１：Ｙ）にはステップＳ３２に進み、それ以外の場合（ステップＳ３１：Ｎ）にはステップＳ３３に進む。
【０１０６】
ステップＳ３２では、制御回路７２は、スイッチ７４−１を制御して、ＦＦＴ回路７１−１の入力を選択させる。この結果、ＩＰ復号回路５２−１から出力されるデータは、スイッチ７４−１を介して、ＦＦＴ回路７１−１に供給される。
【０１０７】
ステップＳ３３では、制御回路７２は、ステップＳ３０で取得したＩＱデータの１シンボルが１４ビット以下で構成されているか否かを判定し、１４ビット以下で構成されていると判定した場合（ステップＳ３３：Ｙ）にはステップＳ３４に進み、それ以外の場合（ステップＳ３３：Ｎ）にはステップＳ３５に進む。
【０１０８】
ステップＳ３４では、制御回路７２は、スイッチ７４−１を制御して、再マッピング回路７３−１の入力を選択させる。この結果、ＩＰ復号回路５２−１から出力されるデータは、スイッチ７４−１を介して、再マッピング回路７３−１に供給される。
【０１０９】
ステップＳ３５では、制御回路７２は、スイッチ７４−１を制御して、Ｓ／Ｐ変換回路５３−１の入力を選択させる。この結果、ＩＰ復号回路５２−１から出力されるデータは、スイッチ７４−１を介して、Ｓ／Ｐ変換回路５３−１に供給される。
【０１１０】
ステップＳ３６では、制御回路７２は、ＩＰ復号回路５２−２から出力されるデータを取得する。
【０１１１】
ステップＳ３７では、制御回路７２は、ステップＳ３６で取得したＩＱデータの１シンボルが７ビット以下で構成されているか否かを判定し、７ビット以下で構成されていると判定した場合（ステップＳ３７：Ｙ）にはステップＳ３８に進み、それ以外の場合（ステップＳ３７：Ｎ）にはステップＳ３９に進む。
【０１１２】
ステップＳ３８では、制御回路７２は、スイッチ７４−２を制御して、ＦＦＴ回路７１−２の入力を選択させる。この結果、ＩＰ復号回路５２−２から出力されるデータは、スイッチ７４−２を介して、ＦＦＴ回路７１−２に供給される。
【０１１３】
ステップＳ３９では、制御回路７２は、ステップＳ３６で取得したＩＱデータの１シンボルが１４ビット以下で構成されているか否かを判定し、１４ビット以下で構成されていると判定した場合（ステップＳ３９：Ｙ）にはステップＳ４０に進み、それ以外の場合（ステップＳ３９：Ｎ）にはステップＳ４１に進む。
【０１１４】
ステップＳ４０では、制御回路７２は、スイッチ７４−２を制御して、再マッピング回路７３−２の入力を選択させる。この結果、ＩＰ復号回路５２−２から出力されるデータは、スイッチ７４−２を介して、再マッピング回路７３−２に供給される。
【０１１５】
ステップＳ４１では、制御回路７２は、スイッチ７４−２を制御して、Ｓ／Ｐ変換回路５３−２の入力を選択させる。この結果、ＩＰ復号回路５２−２から出力されるデータは、スイッチ７４−２を介して、Ｓ／Ｐ変換回路５３−２に供給される。
【０１１６】
ステップＳ４２では、制御回路７２は、ＩＰ復号回路５２−１，５２−２から出力されるデータを参照し、ビット数が少ない方に対応するＳ／Ｐ変換回路５３−１，５３−２を選択回路５５によって選択させる。例えば、ＩＰ復号回路５２−１の出力が７ビットで、ＩＰ復号回路５２−２の出力が１４ビットの場合には、制御回路７２は、選択回路５５を制御してＳ／Ｐ変換回路５３−１の出力を選択させる。逆に、ＩＰ復号回路５２−１の出力が１４ビットで、ＩＰ復号回路５２−２の出力が７ビットの場合には、制御回路７２は、選択回路５５を制御してＳ／Ｐ変換回路５３−２の出力を選択させる。また、ＩＰ復号回路５２−１とＩＰ復号回路５２−２の出力のビット数が同じである場合には、いずれか一方（例えば、予め決められている方）を、選択回路５５によって選択させる。
【０１１７】
ステップＳ４３では、制御回路７２は、処理を継続するか否かを判定し、処理を継続すると判定した場合（ステップＳ４３：Ｙ）にはステップＳ３０に戻って前述の場合と同様の処理を繰り返し、それ以外の場合（ステップＳ４３：Ｎ）には処理を終了する。
【０１１８】
以上に説明したように、本発明の第３実施形態では、ＩＰ送信装置１０は、ＭＥＲと検査符号を参照し、受信状態が良好な場合には復調が完了したデータを送信し、受信状態が良好でない場合には復調途中のデータを送信するようにした。また、ＩＰ受信装置５０では、受信データのビット数に応じてスイッチ７４−１，７４−２を切り換え、ＦＦＴ回路７１−１，７１−２および再マッピング回路７３−１，７３−２を必要に応じて経由させるようにした。また、選択回路５５は、ビット数の少ない方を選択して出力するようにした。このため、ＩＰ送信装置１０−１，１０−２のうち、受信状態が良好な方を選択してデータを受信することができる。また、受信状態が良好でない場合には、復調途中のデータを送信するようにしたので、ＩＰ受信装置５０における信号の状態を監視することで、遠隔地にあるＩＰ送信装置１０−１，１０−２の受信状態を知ることができる。
【０１１９】
（Ｇ）本発明の第４実施形態の構成の説明
つぎに、本発明の第４実施形態の構成について説明する。第４実施形態では、ＩＰ送信装置１０は図５と同様の構成とされ、ＩＰ受信装置５０は図９に示す構成とされている。そこで、以下では、図９を参照して、ＩＰ受信装置５０の構成について詳細に説明する。
【０１２０】
図９において、図６と対応する部分には同一の符号を付してその説明を省略する。図９では、図６と比較すると、スイッチ８１、合成回路８２、および、スイッチ８３が追加されている。また、ＦＦＴ回路７１−１，７１−２が除外されてＦＦＴ回路７１が追加され、再マッピング回路７３−１，７３−２が除外されて再マッピング回路７３が追加され、スイッチ７４−１，７４−２が除外されてスイッチ７４が追加され、また、制御回路７２が制御回路８４に置換されている。さらに、選択回路５５が除外されている。これら以外は、図６の場合と同様である。
【０１２１】
ここで、スイッチ８１は、制御回路８４の制御に応じて、ＩＰ復号回路５２−１，５２−２の出力を合成回路８２およびスイッチ８３のいずれか一方に供給する。
【０１２２】
合成回路８２は、ＩＰ復号回路５２−１，５２−２から出力されるデータを合成して出力する。
【０１２３】
スイッチ８３は、制御回路８４によって制御され、ＩＰ復号回路５２−１，５２−２から出力されるデータの一方を選択して出力する。
【０１２４】
制御回路８４は、ＩＰ復号回路５２−１，５２−２から出力されるデータのビット長に基づいて、スイッチ８１、合成回路８２、スイッチ８３、および、スイッチ７４を制御する。
【０１２５】
（Ｈ）本発明の第４実施形態の動作の説明
つぎに、第４実施形態の動作について説明する。なお、ＩＰ送信装置１０の動作は、第３実施形態と同様であるので、以下では、ＩＰ受信装置５０の動作を中心に説明する。
【０１２６】
前述のように、第４実施形態では、ＩＰ送信装置１０の動作は、第３実施形態と同様であり、ＩＰ送信装置１０−１，１０−２の受信状態に応じて、１シンボルのビット長（数）が異なるデータを送信する。
【０１２７】
ＩＰ受信装置５０では、制御回路８４は、ＩＰ復号回路５２−１，５２−２から出力されるＩＱデータの１シンボルについてのビット長を参照し、これら２つのビット長が等しい場合（ＩＰ送信装置１０−１，１０−２の受信状態が同じ場合）には、スイッチ８１を制御して、ＩＰ復号回路５２−１，５２−２から出力されるデータを合成回路８２に供給し、異なる場合（ＩＰ送信装置１０−１，１０−２の受信状態が異なる場合）には、ＩＰ復号回路５２−１，５２−２から出力されるデータをスイッチ３３に供給する。
【０１２８】
ＩＰ復号回路５２−１，５２−２から出力されるＩＱデータの１シンボルについてのビット長が等しい場合、ＩＰ復号回路５２−１，５２−２から出力されるデータは合成回路８２に供給され、そこで、これらのデータ（ビット数が等しいデータ）が合成される。なお、合成の方法としては、例えば、２つのデータの平均値を計算することで求めることができる。なお、ＩＰ復号回路が３つ以上存在する場合には、３つ以上のデータに基づいて多数決処理を実行するようにしてもよい。
【０１２９】
合成回路８２から出力されるデータは、スイッチ７４に供給される。制御回路８４は、ＩＰ復号回路５２−１，５２−２から出力されるＩＱデータの１シンボルについてのビット長に基づいて、スイッチ７４を切り換える。より詳細には、１シンボルについてのビット長が２８ビットの場合には、制御回路８４は、スイッチ７４を制御してＦＦＴ回路７１の入力を選択させ、１シンボルについてのビット長が１４ビットの場合には再マッピング回路７３の入力を選択させ、１シンボルについてのビット長が７ビットの場合にはＳ／Ｐ変換回路５３の入力を選択させる。
【０１３０】
以上の動作により、ＩＰ送信装置１０−１，１０−２の受信状態が同じ場合には、合成回路８２においてＩＰ復号回路５２−１，５２−２から出力されるデータが合成された後、ビット数に応じて、ＦＦＴ回路７１、再マッピング回路７３、Ｓ／Ｐ変換回路５３のいずれかに入力される。この結果、受信状態が同じ場合には、データを合成することで、より確からしいデータを再生することができる。
【０１３１】
一方、ＩＰ送信装置１０−１，１０−２の受信状態が異なる場合には、ＩＰ復号回路５２−１，５２−２から出力されるデータは、スイッチ８１を介してスイッチ８３に供給される。制御回路８４は、ＩＰ復号回路５２−１，５２−２から出力されるデータのうち、ビット長が短い方を、スイッチ８３を制御して選択させる。この結果、例えば、ＩＰ復号回路５２−１から出力されるデータの方がＩＰ復号回路５２−２から出力されるデータよりもビット長が短い場合には、制御回路８４は、スイッチ８３を制御して、ＩＰ復号回路５２−１から出力されるデータを選択させる。これにより、ＩＰ送信装置１０−１，１０−２のうち、受信状態が良好な方によって受信されたデータがスイッチ８３を介して、スイッチ７４に供給される。
【０１３２】
制御回路８４は、ＩＰ復号回路５２−１，５２−２から出力されるＩＱデータのうち、ビット長が短い方のデータのビット長に基づいて、スイッチ７４を切り換える。より詳細には、短い方の１シンボルについてのビット長が２８ビットの場合には、制御回路８４は、スイッチ７４を制御してＦＦＴ回路７１の入力を選択させ、１シンボルについてのビット長が１４ビットの場合には再マッピング回路７３の入力を選択させ、１シンボルについてのビット長が７ビットの場合にはＳ／Ｐ変換回路５３の入力を選択させる。
【０１３３】
以上の動作により、ＩＰ送信装置１０−１，１０−２の受信状態が異なる場合には、受信状態が良好な方のデータが選択された後、ビット数に応じて、ＦＦＴ回路７１、再マッピング回路７３、Ｓ／Ｐ変換回路５３のいずれかに入力される。この結果、受信状態が異なる場合には、受信状態が良好な方を選択することで、より確からしいデータを再生することができる。
【０１３４】
つぎに、図１０を参照して、第４実施形態のＩＰ受信装置５０において実行される処理の一例について説明する。図１０に示すフローチャートの処理が開始されると、以下のステップが実行される。
【０１３５】
ステップＳ５０では、制御回路８４は、ＩＰ復号回路５２−１から出力されるＩＱデータの１シンボルについてのビット長を変数Ａに代入する。
【０１３６】
ステップＳ５１では、制御回路８４は、ＩＰ復号回路５２−２から出力されるＩＱデータの１シンボルについてのビット長を変数Ｂに代入する。
【０１３７】
ステップＳ５２では、制御回路８４は、変数Ａと変数Ｂに格納されたビット長を比較し、これらが等しい場合（ステップＳ５２：Ｙ）にはステップＳ５３に進み、それ以外の場合（ステップＳ５２：Ｎ）にはステップＳ５４に進む。
【０１３８】
ステップＳ５３では、制御回路８４は、スイッチ８１を制御して、合成回路８２の入力を選択させる。
【０１３９】
ステップＳ５４では、制御回路８４は、スイッチ８１を制御して、スイッチ８３の入力を選択させる。
【０１４０】
ステップＳ５５では、制御回路８４は、変数Ａと変数Ｂに格納されたビット長のうちビット長が短い方を選択して変数Ｃに格納する。なお、ｍｉｎ（Ａ，Ｂ）は、括弧内の値（変数に格納された値）のうち、値が小さい方を選択する関数である。なお、値が等しい場合には、当該値が選択される。
【０１４１】
ステップＳ５６では、制御回路８４は、変数Ｃに格納されているビット長が７ビット以下であるか否かを判定し、７ビット以下である場合（ステップＳ５６：Ｙ）にはステップＳ５７に進み、それ以外の場合（ステップＳ５６：Ｎ）にはステップＳ５８に進む。
【０１４２】
ステップＳ５７では、制御回路８４は、スイッチ７４を制御してＳ／Ｐ変換回路５３の入力を選択させる。
【０１４３】
ステップＳ５８では、制御回路８４は、変数Ｃに格納されているビット長が１４ビット以下であるか否かを判定し、１４ビット以下である場合（ステップＳ５８：Ｙ）にはステップＳ５９に進み、それ以外の場合（ステップＳ５８：Ｎ）にはステップＳ６０に進む。
【０１４４】
ステップＳ５９では、制御回路８４は、スイッチ７４を制御して再マッピング回路７３の入力を選択させる。
【０１４５】
ステップＳ６０では、制御回路８４は、スイッチ７４を制御してＦＦＴ回路７１の入力を選択させる。
【０１４６】
ステップＳ６１では、制御回路８４は、処理を継続するか否かを判定し、処理を継続すると判定した場合（ステップＳ６１：Ｙ）にはステップＳ５０に戻って前述の場合と同様の処理を繰り返し、それ以外の場合（ステップＳ６１：Ｎ）には処理を終了する。
【０１４７】
以上に説明したように、本発明の第４実施形態では、ＩＰ送信装置１０−１，１０−２の受信状態が同じである場合には受信データを合成回路８２によって合成するようにしたので、より確からしいデータを再生することができる。また、ＩＰ送信装置１０−１，１０−２の受信状態が異なる場合にはより良好な受信データをスイッチ８３によって選択するようにしたので、より確からしいデータを再生することができる。
【０１４８】
また、第４実施形態では、ＦＦＴ回路７１、再マッピング回路７３、スイッチ７４を共通の構成としたので、装置の構成を簡略化することができる。
【０１４９】
（Ｉ）本発明の第５実施形態の構成の説明
つぎに、本発明の第５実施形態について説明する。図１１は第５実施形態のＩＰ送信装置１０の構成例である。また、図１２は第５実施形態のＩＰ受信装置５０の構成例を示す図である。
【０１５０】
図１１において、図２と対応する部分には同一の符号を付してその説明を省略する。図１１では、図２と比較すると、タイミング生成回路３５が追加されている。これ以外の構成は、図２と同様である。ここで、タイミング生成回路３５は、局発信号発生器１６から出力される局発信号に同期して、ＩＰパケットを送信するタイミング信号を生成して出力する。
【０１５１】
図１２において、図４と対応する部分には同一の符号を付してその説明を省略する。図１２では、図４と比較すると、周波数制御回路８５−１，８５−２が追加されている。これら以外の構成は、図４と同様である。ここで、周波数制御回路８５−１は、ＩＰ復号回路５２−１によるＩＰパケットの受信タイミングに基づいて、局発信号発生器５８−１の発振周波数を調整する。周波数制御回路８５−２は、ＩＰ復号回路５２−２によるＩＰパケットの受信タイミングに基づいて、局発信号発生器５８−２の発振周波数を調整する。
【０１５２】
（Ｊ）本発明の第５実施形態の動作の説明
つぎに、第５実施形態の動作について説明する。第５実施形態では、ＩＰ送信装置１０−１，１０−２のＩＰ符号化回路２４は、局発信号発生器１６から出力される局発信号に同期して、ＩＰパケットを生成して出力する。
【０１５３】
このようにして、一定の周期で送信されるＩＰパケットは、通信ネットワーク１５０−１，１５０−２を介して、ＩＰ受信装置５０に伝送される。
【０１５４】
ＩＰ受信装置５０では、Ｏ／Ｅ変換回路５１−１，５１−２によってＩＰパケットが電気信号に変換されてＩＰ復号回路５２−１，５２−２に供給される。ＩＰ復号回路５２−１，５２−２は、Ｏ／Ｅ変換回路５１−１，５１−２から供給されるＩＰパケットを復号してＳ／Ｐ変換回路５３−１，５３−２に供給する。周波数制御回路８５−１，８５−２は、ＩＰ復号回路５２−１，５２−２によってＩＰパケットが受信されるタイミングに同期して、局発信号発生器５８−１，５８−２の発振周波数を制御する。より詳細には、ＩＰ符号化回路２４によるＩＰパケットの送信タイミングは、局発信号発生器１６の局発信号に同期しているので、ＩＰ復号回路５２−１，５２−２によるＩＰパケットの受信のタイミングは局発信号発生器１６の局発信号に同期している。このため、ＩＰパケットの受信のタイミングに応じて局発信号発生器５８−１，５８−２を調整することで、局発信号発生器５８−１，５８−２が発生する局発信号を、ＩＰ送信装置１０−１，１０−２がそれぞれ有する局発信号発生器１６に同期させることができる。これにより、例えば、局発信号発生器１６の周波数が基準値からずれたり、変動したりした場合であっても、受信側も同じ周波数に合わせることで、データを確実に受信することができる。
【０１５５】
（Ｋ）変形実施形態の説明
以上の各実施形態は一例であって、本発明が上述したような場合のみに限定されるものでないことはいうまでもない。例えば、第１実施形態では、ＭＥＲに関する値をＩＰパケットに付加して送信し、ＭＥＲではなく、受信状態を示す他の指標値、例えば、ＢＥＲ（Bit Error Rate）を用いるようにしてもよい。
【０１５６】
また、第３実施形態では、図５に示すＩＰ送信装置１０は、Ａ／Ｄ変換回路１８，１９、ＦＦＴ回路２０、または、再マッピング回路２１の出力信号のいずれかを選択して送信するようにしたが、ＦＦＴ回路２０、または、再マッピング回路２１の出力信号のいずれかを選択して送信するようにしてもよい。
【０１５７】
また、第３実施形態では、ＩＰ復号回路５２−１，５２−２によって受信されるデータのビット長に応じて選択回路５５を切り換えるようにしたが、例えば、ＩＰ送信装置１０においてＩＰパケットに、受信状態を示す情報（例えば、ＭＥＲまたはＢＥＲに関する情報）を付加して送信し、ＩＰ受信装置５０では、この受信状態を示す情報を参照して、選択回路５５を切り換えるようにしてもよい。そのような制御によれば、例えば、ＩＰ復号回路５２−１，５２−２によって受信されるデータのビット長が同じ場合には、値の大小比較に基づいて、受信状態が良好な方のデータを選択することができるので、より受信状態が良好なデータを選択することができる。
【０１５８】
また、第３実施形態では、図６に示すように、ＩＰ受信装置５０では、復調したデータを選択回路５５によって選択するようにしたが、例えば、図４に示すように復調したデータを合成回路によって合成するようにしてもよい。
【０１５９】
また、第４実施形態の場合も前述の場合と同様に、ＩＰ送信装置１０においてＩＰパケットに受信状態を示す情報（例えば、ＭＥＲまたはＢＥＲに関する情報）を付加して送信し、ＩＰ受信装置５０では、受信状態を示す情報を参照して、スイッチ８１を切り換えるようにしてもよい。
【０１６０】
また、第５実施形態では、ＩＰ送信装置１０は、ＩＰ符号化回路２４の符号化のタイミングを、局発信号発生器１６が発生する局発信号に同期させるようにし、また、ＩＰ受信装置５０は、ＩＰ復号回路５２−１，５２−２の復号のタイミングに基づいて局発信号発生器５８−１，５８−２の発振周波数を制御するようにした。しかしながら、ＩＰ送信装置１０は、Ｅ／Ｏ変換回路２５の変換のタイミングを、局発信号発生器１６が発生する局発信号に同期させるようにし、また、ＩＰ受信装置５０は、Ｏ／Ｅ変換回路５１−１，５１−２の変換のタイミングに基づいて局発信号発生器５８−１，５８−２の発振周波数を制御するようにしてもよい。
【０１６１】
また、以上の各実施形態では、ＩＰ送信装置１０−１，１０−２およびＩＰ受信装置５０としては、１チャンネル分の放送信号を送受信する構成例を示したが、同様の構成を追加することで、複数チャンネル分の放送信号を送受信可能としてもよい。
【０１６２】
また、以上の各実施形態では、２つのＩＰ送信装置１０−１，１０−２を有する場合を例に挙げて説明したが、３つ以上のＩＰ送信装置を有する構成としてもよい。３つ以上の構成とする場合には、ＩＰ受信装置５０がＩＰ送信装置の数に応じて、回路構成を追加するようにすればよい。また、テレビジョン受像機９０−１〜９０−３も、４つ以上または２つ以下としてもよい。
【０１６３】
また、以上の各実施形態では、ＩＰ受信装置５０とテレビジョン受像機９０−１〜９０−３の間は、同軸ケーブル１９０−１〜１９０−３によって接続するようにしたが、例えば、電波によって接続するようにしてもよい。例えば、ＩＰ受信装置５０の出力を電波として送信し、山間部や高層ビル陰、地下街など地上デジタル放送の電波が直接受信できない地域に、電波を配信するギャップフィラーとして機能するようにしてもよい。
【０１６４】
また、以上の各実施形態では、ＩＰ受信装置５０は、ＩＰ送信装置１０−１，１０−２からのＩＰパケットを受信してＯＦＤＭ変調して送信する構成としたが、例えば、ＩＰ受信装置５０に、記憶装置（例えば、ＨＤＤ（Hard Disk Drive）等）を具備し、ＩＰパケットに含まれているデータを記憶するようにしてもよい。そのような構成によれば、記憶されているデータを解析することで、離れた場所に存在するＩＰ送信装置１０−１，１０−２の受信状態を１カ所で解析することができる。また、第３および第４実施形態では、ＩＰ送信装置１０−１，１０−２が復調途中のデータを送信するので、復調途中のデータを解析することで、受信状態をより正確に解析することができる。なおかつ、解析の必要の無い良好な受信状態では少ないビット長で伝送するため、より解析の重要度が高い、悪い受信状態を反映した情報の伝送に、限られた通信容量を割り振る事が可能となる。
【符号の説明】
【０１６５】
１０−１，１０−２  ＩＰ送信装置（送信装置）
１１  アンテナ
１２  チューナ
１３，１６  局発信号発生器
１４，１５  乗算器
１７  移相器
１８，１９  Ａ／Ｄ変換回路
２０，７１−１，７１−２  ＦＦＴ回路（復調手段）
２１，７３−１，７３−２  再マッピング回路（復調手段）
２２  ＭＥＲ検出回路
２３  Ｐ／Ｓ変換回路
２４  ＩＰ符号化回路（送信手段）
２５  Ｅ／Ｏ変換回路（送信手段）
３１  検査符号検出回路
３２，３３  スイッチ
３５  タイミング生成回路
５０  ＩＰ受信回路（受信装置）
５１−１，５１−２  Ｏ／Ｅ変換回路（受信手段）
５２−１，５２−２  ＩＰ復号回路（受信手段）
５３−１，５３−２  Ｓ／Ｐ変換回路
５４  ＭＥＲ検出回路
５５  選択回路（選択／合成手段）
５６  ＩＦＦＴ回路
５７  ＩＱ変調回路
５８，６０  局発信号発生器
５９  乗算器
６１−１，６１−２  位相回路
６２−１，６２−２  係数倍器
６３，８２  合成回路（選択／合成手段）
７２，８４  制御回路
７４−１，７４−２，８１  スイッチ
８３  スイッチ（選択／合成手段）
８５−１，８５−２  周波数制御回路
１５０−１，１５０−２  通信ネットワーク
１９０−１〜１９０−３  同軸ケーブル
【図１】
2018011236.tif 000003
【図２】
2018011236.tif 000004
【図３】
2018011236.tif 000005
【図４】
2018011236.tif 000006
【図５】
2018011236.tif 000007
【図６】
2018011236.tif 000008
【図７】
2018011236.tif 000009
【図８】
2018011236.tif 000010
【図９】
2018011236.tif 000011
【図１０】
2018011236.tif 000012
【図１１】
2018011236.tif 000013
【図１２】
2018011236.tif 000014